(57)【要約】【課題】不審者が屋根上から建物内へ侵入することに対して好適に抑止力を発揮する。【解決手段】住宅１０は一階部分１１、二階部分１２及び屋根部分１３を有している。二階部分１２にはバルコニー１５が設けられており、バルコニー１５は屋根部分１３における軒先１３ａの下方に配置されている。二階部分１２において、バルコニー１５と二階居室とを仕切る外壁には窓部４３ａ〜４３ｃが設けられている。窓部４３ａ〜４３ｃにはサッシ戸が設けられており、サッシ戸には施錠装置が設けられている。軒先１３ａには軒先荷重センサが設けられており、バルコニー１５の床部にはバルコニー荷重センサが設けられている。ホームサーバは、軒先荷重センサにより軒先１３ａにて人が検知された場合に窓部４３ａ〜４３ｃのうちその居場所の下方の窓部を施錠し、その後、バルコニー荷重センサによりバルコニー１５にて人が検知された場合に全ての窓部を施錠する。【選択図】図１
2010140234.tif 000002
【特許請求の範囲】
【請求項１】
屋根における複数の検知領域にて人の存在を検知する屋根側検知手段と、
前記屋根側検知手段により人が検知された領域に合わせて警戒レベルを設定するレベル設定手段と、
前記屋根側検知手段により人が検知された場合に、前記警戒レベルに応じて警戒制御を実行する制御手段と
を備えていることを特徴とする建物の警備システム。
【請求項２】
建物内空間に通じる開口部が形成されている建物に適用され、
前記レベル設定手段は、前記屋根において他の検知領域に比べて前記開口部に近い検知領域にて前記屋根側検知手段により人が検知された場合に、該他の検知領域にて人が検知された場合より前記警戒レベルを高く設定することを特徴とする請求項１に記載の建物の警備システム。
【請求項３】
前記屋根側検知手段の前記検知領域には前記屋根の軒先部が含まれており、
前記レベル設定手段は、前記屋根側検知手段により前記軒先部にて人が検知された場合に前記警戒レベルを所定レベルに設定することを特徴とする請求項１又は２に記載の建物の警備システム。
【請求項４】
前記屋根側検知手段の前記検知領域には前記屋根の棟部が含まれており、
前記レベル設定手段は、前記屋根側検知手段により前記棟部にて人が検知された場合に、前記軒先部にて人が検知された場合より前記警戒レベルを低く設定することを特徴とする請求項３に記載の建物の警備システム。
【請求項５】
建物内空間に通じる開口部が外壁に形成されている建物に適用され、
前記屋根側検知手段の前記検知領域は前記軒先部にて複数設定されており、
前記レベル設定手段は、前記屋根側検知手段により前記軒先部における各検知領域のうち前記開口部の上方の領域にて人が検知された場合に、その他の領域にて人が検知された場合より該開口部に関する前記警戒レベルを高く設定することを特徴とする請求項３又は４に記載の建物の警備システム。
【請求項６】
前記屋根側検知手段として、屋根に加えられた荷重を検知する荷重検知手段を備えていることを特徴とする請求項１乃至５のいずれか１項に記載の建物の警備システム。
【請求項７】
前記制御手段は、前記荷重検知手段により検知された荷重が所定荷重以上である場合に前記警戒制御を実行することを特徴とする請求項６に記載の建物の警備システム。
【請求項８】
前記制御手段は、前記荷重検知手段による荷重検知時間が所定時間以内である場合に前記警戒制御を実行することを特徴とする請求項６又は７に記載の建物の警備システム。
【請求項９】
前記制御手段は、開口部を閉鎖する開閉体に設けられた施錠装置を制御対象とし、前記警戒制御として前記施錠装置の施錠制御を行うことを特徴とする請求項１乃至８のいずれか１項に記載の建物の警備システム。
【請求項１０】
外壁から側方へ張り出した張出部が屋外側に開放されるように設けられているとともに、前記外壁のうち前記張出部がある部分に建物内空間に通じる開口部が設けられている建物に適用され、
張出部に人がいることを検知する張出側検知手段を更に備え、
前記レベル設定手段は、前記屋根側検知手段により前記屋根にて人が検知された後に前記張出側検知手段により前記張出部にて人が検知された場合、前記屋根にて人が検知された場合より前記警戒レベルを高く設定することを特徴とする請求項１乃至９のいずれか１項に記載の建物の警備システム。
【請求項１１】
外壁から側方へ張り出した張出部が屋外側に開放されるように設けられているとともに、前記外壁のうち前記張出部がある部分に建物内空間に通じる開口部が複数設けられており、さらに各開口部の各開閉体に施錠装置がそれぞれ設けられている建物に適用され、
張出部に人がいることを検知する張出側検知手段をさらに備え、
前記屋根側検知手段の前記検知領域は前記屋根にて複数設定されており、
前記制御手段は、前記各開口部のうちいずれかの開口部の上方にて前記屋根側検知手段により人が検知されると、該開口部に対応した前記施錠装置を施錠制御し、その後、前記張出側検知手段により前記張出部にて人が検知されると、前記各開口部に対応した各施錠装置をそれぞれ施錠制御することを特徴とする請求項１乃至９のいずれか１項に記載の建物の警備システム。
【発明の詳細な説明】
【技術分野】
【０００１】
本発明は、建物の警備システム及び建物に関するものである。
【背景技術】
【０００２】
住宅等の建物における警備システムとして、建物に侵入する不審者を検知するとともにその旨を報知する技術が提案されている。例えば特許文献１には、玄関ドアが開放される場合にドア開放者が不審者であれば警備装置を動作させ、ドア開放者が居住者であれば警備装置を動作させない構成が開示されている。この構成では、居住者が所持しているＩＣチップから識別情報を取得する取得手段が設けられており、取得手段が識別情報を取得していないにもかかわらず玄関ドアが開放される場合に警備装置が動作する。これにより、不審者が建物に侵入することに対する抑止力を発揮できる。
【特許文献１】特開２００３−３０３３７９号公報
【発明の開示】
【発明が解決しようとする課題】
【０００３】
しかしながら、上記特許文献１にて開示されている構成では、実際に不審者により玄関ドアが開放されるまでは警備装置が動作しないため、たとえ警備装置が動作しても不審者に玄関から建物内へ侵入されてしまうおそれがある。そこで、例えば道路から玄関までの通路を不審者の検知範囲とすることで不審者をいち早く検知する構成が考えられるが、不審者は侵入に際して必ずしも通路を通るとは限らず、特に近年の住宅事情により建物が密集している地域では不審者が建物間を乗り移って窓等の開口部にたどり着く可能性がある。この場合、通路において不審者を検知するだけでは十分でないため、不審者を検知する構成に関して改善の余地がある。
【０００４】
本発明は、不審者が屋根上から建物内へ侵入することに対して好適に抑止力を発揮することを主たる目的とする。
【課題を解決するための手段】
【０００５】
上記課題を解決するために、第１の発明は、屋根における複数の検知領域にて人の存在を検知する屋根側検知手段と、前記屋根側検知手段により人が検知された領域に合わせて警戒レベルを設定するレベル設定手段と、前記屋根側検知手段により人が検知された場合に、前記警戒レベルに応じて警戒制御を実行する制御手段とを備えていることを特徴とする。
【０００６】
第１の発明によれば、屋根上から建物内へ侵入しようとしている不審者が屋根に乗った場合に警戒制御が実行されるため、例えば不審者が窓等の開口部に到達してから警戒制御が実行される構成に比べて不審者の侵入に対する抑止力が早期に発揮される。したがって、仮に屋根上からの不審者の侵入に対する居住者の警戒意識が低くても、建物内への不審者の侵入を回避できる。しかも、不審者の居場所に応じて警戒レベルが設定されるため、その警戒レベルに合わせて異なる警戒制御を実行することが可能となる。例えば、警戒レベルが低い場合に不審者の存在を居住者に報知する制御を行い、警戒レベルが高い場合に警備会社等の外部施設に通報する制御を行う。したがって、不審者侵入の可能性が高い場合には緊急に対処することが可能となり、不審者侵入の可能性が低い場合にはその対処が過剰になってしまうことを抑制できる。以上の結果、不審者が屋根上から建物内へ侵入することに対して好適に抑止力を発揮できる。
【０００７】
第２の発明では、建物内空間に通じる開口部が形成されている建物に適用され、前記レベル設定手段は、前記屋根において他の検知領域に比べて前記開口部に近い検知領域にて前記屋根側検知手段により人が検知された場合に、該他の検知領域にて人が検知された場合より前記警戒レベルを高く設定する。
【０００８】
第２の発明によれば、屋根に乗っている不審者の居場所が開口部に近いほど警戒レベルが高く設定されるため、不審者侵入の可能性の高さに合わせて好適に警戒制御を行うことができる。これは、不審者の居場所が開口部に近い場合は遠い場合に比べて不審者が建物内に侵入する可能性が高いと考えられるためである。
【０００９】
なお、建物内空間に通じる開口部としては、外壁に形成された窓部等の壁側開口部や、屋根部分に形成された窓部等の屋根側開口部などが挙げられる。
【００１０】
第３の発明では、前記屋根側検知手段の前記検知領域には前記屋根の軒先部が含まれており、前記レベル設定手段は、前記屋根側検知手段により前記軒先部にて人が検知された場合に前記警戒レベルを所定レベルに設定する。
【００１１】
第３の発明によれば、少なくとも屋根の軒先部にて不審者の検知が行われるため、屋根から降りる不審者を確実に検知することができる。これは、不審者は屋根から降りる際に軒先部を通る必要があるためである。また、不審者が屋根の軒先部に乗っている場合に屋根の他の部分に乗っている場合に比べて警戒レベルを高く設定することが可能となる。ここで、不審者が軒先部にいる時の方が屋根におけるその他の部分にいる時より建物内に侵入しようとしている可能性が高いと考えられる。したがって、不審者侵入の可能性の高さに合わせて好適に警戒制御を行うことができる。
【００１２】
第４の発明では、前記屋根側検知手段の前記検知領域には前記屋根の棟部が含まれており、前記レベル設定手段は、前記屋根側検知手段により前記棟部にて人が検知された場合に、前記軒先部にて人が検知された場合より前記警戒レベルを低く設定する。
【００１３】
第４の発明によれば、不審者が屋根の棟部に乗っている場合、不審者が屋根の軒先部に乗っている場合に比べて警戒レベルが低く設定される。ここで、不審者の居場所が屋根の棟部である場合、居場所が軒先部である場合に比べて不審者侵入の可能性が低いと考えられる。したがって、不審者侵入の可能性が低い場合にその対処が過剰になってしまうことを回避できる。
【００１４】
第５の発明では、建物内空間に通じる開口部が外壁に形成されている建物に適用され、前記屋根側検知手段の前記検知領域は前記軒先部にて複数設定されており、前記レベル設定手段は、前記屋根側検知手段により前記軒先部における各検知領域のうち前記開口部の上方の領域にて人が検知された場合に、その他の領域にて人が検知された場合より該開口部に関する前記警戒レベルを高く設定する。
【００１５】
第５の発明によれば、不審者が屋根の軒先における開口部の上方にいる場合、不審者が軒先におけるその他の部分にいる場合より開口部に関する警戒レベルが高く設定される。ここで、不審者は、軒先から斜め下方の開口部に向けて乗り移るのではなく真下の開口部に向けて乗り移ると考えられるため、不審者が開口部の上方にいる時には不審者侵入の可能性が高いことになる。したがって、不審者侵入の可能性の高さに合わせて好適に警戒制御を行うことができる。
【００１６】
第６の発明では、前記屋根側検知手段として、屋根に加えられた荷重を検知する荷重検知手段を備えている。
【００１７】
第６の発明によれば、不審者が屋根に乗った場合、不審者により屋根に対して加えられる荷重が検知される。つまり、不審者がどんなに目立たないように且つ静かに屋根に乗ったとしてもその不審者を確実に検知することができる。
【００１８】
第７の発明では、前記制御手段は、前記荷重検知手段により検知された荷重が所定荷重以上である場合に前記警戒制御を実行する。
【００１９】
第７の発明によれば、屋根に猫や鳥等の動物が乗った場合に、その動物を不審者として検知してしまうことを回避できる。つまり、不審者の検知精度を高めることができる。
【００２０】
第８の発明では、前記制御手段は、前記荷重検知手段による荷重検知時間が所定時間以内である場合に前記警戒制御を実行する。
【００２１】
第８の発明によれば、屋根に飛来物が引っ掛かったり雪が積もったりした場合に、飛来物や雪を不審者として検知してしまうことを回避できる。つまり、不審者の検知精度を高めることができる。
【００２２】
なお、前記制御手段は、前記所定時間よりも短い第２所定時間を設定し、前記荷重検知手段による荷重検知時間が前記第２所定時間以上である場合に前記警戒制御を実行する構成としてもよい。この場合、屋根に飛来物が一瞬だけ当たった場合に、その飛来物を不審者として検知してしまうことを回避できる。つまり、不審者の検知精度をより一層高めることができる。
【００２３】
第９の発明では、前記制御手段は、開口部を閉鎖する開閉体に設けられた施錠装置を制御対象とし、前記警戒制御として前記施錠装置の施錠制御を行う。
【００２４】
第９の発明によれば、不審者が屋根に乗った場合に開口部において開閉体を施錠することにより、不審者が開口部から建物内に侵入してしまうことを回避できる。
【００２５】
なお、前記警戒制御としては、施錠装置の施錠制御の他に、や開口部を閉鎖可能なシャッタ装置の閉鎖制御や、警察等の外部施設へ通報する通報装置の通報制御や、報知音を出力したり報知画面を表示したりする報知装置の報知制御などが挙げられる。
【００２６】
第１０の発明では、外壁から側方へ張り出した張出部が屋外側に開放されるように設けられているとともに、前記外壁のうち前記張出部がある部分に建物内空間に通じる開口部が設けられている建物に適用され、張出部に人がいることを検知する張出側検知手段を更に備え、前記レベル設定手段は、前記屋根側検知手段により前記屋根にて人が検知された後に前記張出側検知手段により前記張出部にて人が検知された場合、前記屋根にて人が検知された場合より前記警戒レベルを高く設定する。
【００２７】
第１０の発明によれば、不審者が屋根から張出部に乗り移った場合、不審者が屋根に乗っている場合に比べて警戒レベルが高く設定される。ここで、不審者は屋根から外壁の開口部に直接入り込むことは困難であるため、屋根から張出部に乗り移り、それから張出部を足場として開口部から建物内に侵入すると考えられる。この場合、不審者が張出部に乗り移ったということは建物内へ侵入される可能性が高くなってしまったことになるため、警戒レベルを高くすることは侵入を阻止する上で効果的である。しかも、単に張出部にて人が検知されても警戒制御は実行されないため、居住者が建物内から開口部を通じて張出部に出てもその居住者に対して警戒制御が行われてしまうことが回避される。
【００２８】
なお、張出側検知手段として、張出部の床に加えられた荷重を検知する荷重検知手段を備えていることが好ましい。この場合、不審者が屋根に乗った場合と同様に、不審者がどんなに目立たないように且つ静かに張出部に乗ったとしてもその不審者を確実に検知することができる。
【００２９】
第１１の発明では、外壁から側方へ張り出した張出部が屋外側に開放されるように設けられているとともに、前記外壁のうち前記張出部がある部分に建物内空間に通じる開口部が複数設けられており、さらに各開口部の各開閉体に施錠装置がそれぞれ設けられている建物に適用され、張出部に人がいることを検知する張出側検知手段をさらに備え、前記屋根側検知手段の前記検知領域は前記屋根にて複数設定されており、前記制御手段は、前記各開口部のうちいずれかの開口部の上方にて前記屋根側検知手段により人が検知されると、該開口部に対応した前記施錠装置を施錠制御し、その後、前記張出側検知手段により前記張出部にて人が検知されると、前記各開口部に対応した各施錠装置をそれぞれ施錠制御する。
【００３０】
第１１の発明によれば、不審者の居場所が屋根の軒先における開口部の上方である場合、その開口部に対する警戒制御が行われるため、不審者が実際に開口部近傍へ移動してからではなく移動する前に不審者侵入に対する抑止力をいち早く発揮させることができる。さらに、不審者が屋根から張出部に乗り移った場合、その張出部に面する各開口部が全て施錠されるため、不審者はいずれの開口部からも建物内へ侵入することができない。したがって、不審者の侵入に対する抑止力をより一層高めることができる。
【００３１】
以上の警備システムを、他の建物と接近しており且つ高さが他の建物と同等又はそれより低い建物に適用すれば、不審者が他の建物から屋根に乗り移り易いという物理的環境において、不審者の屋根を介しての侵入に対する抑止力を高めることができる。また、適用する建物として、複数の住戸を有する集合住宅とすることもできる。この場合、屋根の軒先部に沿った検知領域は、各住戸単位とすることが好ましい。
【発明を実施するための最良の形態】
【００３２】
（第１の実施形態）
以下、本発明を具体化した一実施形態を図面に基づいて説明する。図１は住宅１０とそれに隣接したマンション２０とを示す斜視図、図２は屋根部分１３における軒先１３ａ周辺の概略断面を示す図、図３は住宅１０の検知領域を示す図である。なお、図３においては、（ａ）に二階部分１２を図示し、（ｂ）に屋根部分１３を図示している。
【００３３】
図１に示すように、建物としての住宅１０は二階建ての一戸建て住宅となっており、下階としての一階部分１１と、上階としての二階部分１２と、二階部分１２の上方に配置されている屋根部分１３とを有している。屋根部分１３は切妻屋根により構成されており、二階部分１２には張出部としてのバルコニー１５が設けられている。バルコニー１５は屋外側へ向けて水平方向に張り出しており、その上方や側方が屋外側に開放された屋外部分となっている。
【００３４】
住宅１０は集合住宅としてのマンション２０と隣接している。マンション２０は三階建ての建物となっており、一階部分２１と二階部分２２と三階部分２３と屋上部分２４を有している。二階部分２２及び三階部分２３には共用通路２５がそれぞれ設けられている。共用通路２５はそれぞれ住宅１０側に張り出しており、屋外側に開放された屋外通路となっている。特に、三階部分２３の共用通路２５は住宅１０の屋根部分１３と同じ又はそれより高い位置に設けられている。住宅１０とマンション２０とは接近しており、その離間距離は、人がマンション２０の三階部分２３の共用通路２５から住宅１０の屋根部分１３へ飛び移ることが可能な距離となっている。
【００３５】
図２に示すように、住宅１０の二階部分１２において、バルコニー１５の床部３１には、その床部３１に加えられた荷重を検知する張出側検知手段としてのバルコニー荷重センサ３２が設けられている。床部３１は水平方向に延びる床面を有しており、バルコニー荷重センサ３２はその床部３１に埋め込まれている。バルコニー荷重センサ３２は加えられた圧力を検知する圧力センサとなっており、床部３１に人が乗ったことを検知可能となっている。ちなみに、バルコニー１５の床部３１は、二階部分１２の床大梁や柱から水平方向に延びるバルコニー梁と、根太等の床下地材と、床パネル等の床仕上材とを含んで構成されており、バルコニー荷重センサ３２は床仕上材に設けられている。
【００３６】
なお、バルコニー荷重センサ３２は、床部３１に人が乗ったことを検知可能であれば、床下地材やバルコニー梁、二階部分１２の床大梁などに設けられていてもよい。また、バルコニー１５には手摺３４が設けられている。手摺３４は床部３１から起立しており、バルコニー空間と外部空間との境界部に配置されている。
【００３７】
二階部分１２には、バルコニー１５に隣接して建物内空間としての二階居室４１が設けられている。二階居室４１は外壁４２によりバルコニー１５と仕切られており、寝室や子供部屋などを形成している。外壁４２には二階居室４１とバルコニー１５とを連通する窓部４３が形成されている。窓部４３は掃き出し窓となっている。
【００３８】
図３（ｂ）に示すように、窓部４３はバルコニー１５に対して複数設けられている。具体的には、窓部４３として第１窓部４３ａ、第２窓部４３ｂ、第３窓部４３ｃが設けられており、人は窓部４３ａ〜４３ｃのいずれを通っても二階居室４１とバルコニー１５とを行き来することができる。
【００３９】
各窓部４３ａ〜４３ｃには引き違い式のサッシ戸４５がそれぞれ設けられている。各サッシ戸４５は一対のガラス戸となっており、少なくとも一方が水平方向にスライド移動することで窓部４３ａ〜４３ｃの開閉をそれぞれ行う。また、各サッシ戸４５には施錠装置４６がそれぞれ設けられている。具体的には、第１窓部４３ａ，第２窓部４３ｂ，第３窓部４３ｃのそれぞれに対応して第１施錠装置４６ａ，第２施錠装置４６ｂ，第３施錠装置４６ｃが設けられている。各施錠装置４６ａ〜４６ｃは施錠状態又は解錠状態に移行する例えばクレセント錠となっている。
【００４０】
図２の説明に戻り、屋根部分１３は、垂木や野路板等を含んで構成されている屋根下地材５１と、屋根瓦等を含んで構成されている屋根仕上材５２とを有している。屋根仕上材５２は屋根下地材５１の上に取り付け固定されており、その上面により屋根部分１３の仕上面を形成している。なお、屋根下地材５１は、屋根部分１３を構成する骨組みとしての小屋組に含まれており、小屋組は屋根下地材５１の他にも、屋根下地材５１を支持する屋根支持材を有している。屋根支持材は軒桁や棟木、束等を含んで構成されている。
【００４１】
屋根部分１３の軒先１３ａは外壁４２よりも側方へ突出しており、バルコニー１５の上方へ突出している方の軒先１３ａには、その軒先１３ａに加えられた荷重を検知する屋根側検知手段としての軒先荷重センサ５５が設けられている。軒先荷重センサ５５は軒先１３ａにおける屋根仕上材５２に内蔵されており、加えられた圧力を検知する圧力センサとなっている。ここで、屋根仕上材５２は棟部１３ｂ（図１参照）から軒先１３ａに向けて徐々に低くなるように傾斜している。この場合、人は棟部１３ｂから軒先１３ａへ向かって屋根部分１３上を移動することが可能となっており、軒先荷重センサ５５は軒先１３ａに人が乗ったことを検知可能となっている。
【００４２】
なお、軒先荷重センサ５５は、軒先１３ａに人が乗ったことを検知可能であれば、屋根下地材５１や屋根支持材などに設けられていてもよい。
【００４３】
バルコニー１５及び屋根部分１３においては、バルコニー荷重センサ３２及び軒先荷重センサ５５により荷重を検知可能な領域がそれぞれ設定されている。ここでは、検知領域について図３を参照しつつ説明する。
【００４４】
図３（ａ）に示すように、二階部分１２のバルコニー１５においては、バルコニー荷重センサ３２による検知領域としてバルコニーエリアＡが設定されており、バルコニーエリアＡはバルコニー１５における床面のほぼ全体に拡がっている。したがって、バルコニー１５における床部３１のどの部分に人が乗ってもその旨がバルコニーエリアＡにて検知される。
【００４５】
図３（ｂ）に示すように、屋根部分１３においては、軒先荷重センサ５５による検知領域として軒先エリアＢが設定されており、軒先エリアＢは複数に分割されている。具体的には、軒先エリアＢは第１軒先エリアＢ１、第２軒先エリアＢ２、第３軒先エリアＢ３に分割されている。第１軒先エリアＢ１〜第３軒先エリアＢ３は軒先１３ａにおけるバルコニー１５側の領域を３分割しており、それぞれ第１窓部４３ａ〜第３窓部４３ｃの上方に配置されている。したがって、屋根部分１３におけるバルコニー１５側の軒先１３ａであればどの部分に人が乗ってもその人が各軒先エリアＢ１〜Ｂ３のいずれかにて検知される。
【００４６】
住宅１０においては、不審者の侵入に対して警備を行う警備システムが構築されている。ここでは、住宅１０の警備システムに関する電気的な構成について、図４を参照しつつ説明する。
【００４７】
図４に示すように、警備システムは制御手段としてのホームサーバ６１を含んで構成されている。ホームサーバ６１は、ＣＰＵや各種メモリ等からなるマイクロコンピュータを含んで構成されている。また、ホームサーバ６１は記憶部６２とタイマ６３とを有しており、記憶部６２には、屋根部分１３の軒先１３ａやバルコニー１５に人が乗っているか否かを判定するための判定値が記憶されている。判定値には荷重に関する値や荷重継続時間に関する値が含まれている。タイマ６３は時間経過を計測する機能を有している。
【００４８】
ホームサーバ６１には、バルコニー荷重センサ３２と軒先荷重センサ５５とが接続されており、それらセンサ３２，３５は検出信号をホームサーバ６１に対して出力する。また、ホームサーバ６１には、施錠装置４６ａ〜４６ｃと報知装置６５とが接続されており、ホームサーバ６１は指令信号を出力することでそれら施錠装置４６ａ〜４６ｃ、報知装置６５の動作制御を行う。報知装置６５は報知音を出力するスピーカや報知画面を表示する表示モニタを含んで構成されており、二階居室４１に配置されている。
【００４９】
次に、ホームサーバ６１によって実行される警備システムの制御処理について、図５のフローチャートを参照しつつ説明する。なお、ホームサーバ６１はこの制御処理を所定の時間周期にて繰り返し行う。
【００５０】
図５において、ステップＳ１０１では、バルコニー荷重センサ３２、軒先荷重センサ５５の検出信号を取得する。そして、ステップＳ１０２〜Ｓ１１０にて軒先１３ａに関する軒先処理を行い、ステップＳ１１１〜Ｓ１１６にてバルコニー１５に関するバルコニー処理を行う。
【００５１】
軒先処理において、ステップＳ１０２では、屋根部分１３の軒先１３ａに人が乗っているか否かを判定する。具体的には、軒先荷重センサ５５の検出信号に基づいて軒先１３ａに対する実荷重を算出し、その実荷重が所定荷重以上であるか否かを判定する。加えて、軒先１３ａに対する荷重継続時間をタイマ６３により計測し、その荷重継続時間が所定継続時間以下であるか否かを判定する。ここでは、実荷重が所定荷重以上であり且つ荷重継続時間が所定継続時間以下である場合に軒先１３ａに人が乗っていると判定する。ちなみに、所定荷重及び所定継続時間に関する値は記憶部６２に記憶されている。この場合、例えば所定荷重は３０ｋｇに設定されており、軒先１３ａに乗った猫や鳥等の動物を人として検知してしまうことが回避される。また、所定継続時間は５分に設定されており、軒先１３ａに乗った飛来物等の物品を人として検知してしまうことが回避される。
【００５２】
なお、所定継続時間よりも短い第２所定継続時間が記憶部６２に記憶されており、荷重継続時間が第２所定継続時間よりも長い場合に軒先１３ａに人が乗っていると判定してもよい。この場合、例えば第２所定継続時間が５秒に設定されることにより、軒先１３ａに一瞬だけ当たった飛来物を人として検知してしまうことが回避される。
【００５３】
軒先１３ａに人がいる場合、ステップＳ１０３に進み、軒先１３ａにおける人の居場所が第１軒先エリアＢ１であるか否かを判定する。人の居場所が第１軒先エリアＢ１でない場合、ステップＳ１０４に進み、人の居場所が第２軒先エリアＢ２であるか否かを判定する。
【００５４】
人の居場所が第１軒先エリアＢ１である場合、ステップＳ１０５にて第１窓部４３ａの警戒レベルをＬＶ１に設定するとともに、ステップＳ１０６にて第１窓部４３ａの第１施錠装置４６ａを施錠する。同様に、人の居場所が第２軒先エリアＢ２である場合、ステップＳ１０７にて第２窓部４３ｂの警戒レベルをＬＶ１に設定するとともに、ステップＳ１０８にて第２窓部４３ｂの第２施錠装置４６ｂを施錠する。人の居場所が第１軒先エリアＢ１及び第２軒先エリアＢ２のいずれでもない場合、人の居場所が第３軒先エリアＢ３であるとして、ステップＳ１０９にて第３窓部４３ｃの警戒レベルをＬＶ３に設定するとともに、ステップＳ１１０にて第３施錠装置４６ｃを施錠状態に移行させる。なお、軒先１３ａに人がいない場合、本軒先処理を終了し、バルコニー処理に進む。
【００５５】
バルコニー処理において、ステップＳ１１１では、各窓部４３ａ〜４３ｃのうち警戒レベルをＬＶ１に設定した窓部が有るか否かを判定する。警戒レベルをＬＶ１に設定した窓部が無い場合、軒先１３ａには不審者がいないとしてそのまま本バルコニー処理を終了する。警戒レベルをＬＶ１に設定した窓部が１つでも有る場合、軒先１３ａに不審者が乗ったとしてステップＳ１１２に進む。
【００５６】
ステップＳ１１２では、バルコニー１５に人がいる否かを判定する。具体的には、軒先１３ａにおける判定と同様に、バルコニー荷重センサ３２の検出信号に基づいてバルコニー１５の床部３１に対する実荷重を算出し、その実荷重が所定荷重以上であるか否かを判定する。加えて、バルコニー１５の床部３１に対する荷重継続時間をタイマ６３により計測し、その荷重継続時間が所定継続時間以下であるか否かを判定する。ここでは、実荷重が所定荷重以上であり且つ荷重継続時間が所定継続時間以下である場合にバルコニー１５に人がいると判定する。所定荷重や所定継続時間については、軒先１３ａに関する所定荷重や所定継続時間と同様に記憶部６２に記憶されており、バルコニー１５に乗った動物を人として検知してしまうことや、バルコニー１５に乗った飛来物や載置されている物品等を人として検知してしまうことが回避される。
【００５７】
なお、荷重継続時間が第２所定継続時間よりも長い場合にバルコニー１５に人がいるとして判定してもよい。これにより、バルコニー１５の床部３１に一瞬だけ当たった飛来物が人として検知されてしまうことが回避される。
【００５８】
バルコニー１５に人がいると判定された場合、ステップＳ１１３に進み、不審者が軒先１３ａからバルコニー１５へ乗り移ったとして、各窓部４３ａ〜４３ｃの警戒レベルをＬＶ２にそれぞれ設定する。また、ステップＳ１１４では、各施錠装置４６ａ〜４６ｃをそれぞれ施錠状態に移行させる。より詳しくは、各施錠装置４６ａ〜４６ｃのうち軒先処理にて施錠状態に移行されていない施錠装置を施錠状態に移行させる。続くステップＳ１１５では、報知装置６５を報知動作させる。例えば、不審者が軒先１３ａからバルコニー１５に乗り移ったことや、各軒先エリアＢ１〜Ｂ３のうち不審者が存在していたエリアなどを知らせる音声を報知装置６５から出力させる。
【００５９】
バルコニー１５に人がいないと判定された場合、ステップＳ１１６に進み、不審者が軒先１３ａに継続して乗っているとして、軒先処理における各窓部４３ａ〜４３ｃの警戒レベル及び各施錠装置４６ａ〜４６ｃの施錠状態を保持させる。
【００６０】
上記のように警備システムの制御処理が実行されることにより、以下の効果が得られる。
【００６１】
図１に示すように、不審者がマンション２０の三階部分２３から住宅１０の屋根部分１３における棟部１３ｂに乗り移り、さらに軒先１３ａにおける第３窓部４３ｃの上方部分に移動すると、第３施錠装置４６ｃが動作して第３窓部４３ｃのサッシ戸４５が施錠される。この場合、不審者が第３窓部４３ｃから二階居室４１に侵入してしまうことをいち早く回避できる。つまり、不審者が実際に第３窓部４３ｃ近傍に到達してからサッシ戸４５が施錠される構成に比べて、不審者侵入に対する抑止力を早期に発揮できる。また、不審者は軒先１３ａから斜め下方ではなく真下に向けて飛び降りることでバルコニー１５に移動すると考えられるため、不審者が存在する軒先エリアＢ１〜Ｂ３の真下の窓部４３を施錠することは、その窓部４３からの不審者侵入を回避する上で好適である。
【００６２】
その後、不審者が軒先１３ａからバルコニー１５に移動すると、各施錠装置４６ａ〜４６ｃが動作して各窓部４３ａ〜４３ｃのサッシ戸４５がそれぞれ施錠される。これにより、不審者が第３窓部４３ｃから二階居室４１へ侵入することを阻止できるのはもちろんのこと、不審者がバルコニー１５内を移動して第３窓部４３ｃではなく第１窓部４３ａや第２窓部４３ｂから侵入しようとしてもそれを阻止できる。また、この場合、報知装置６５から音声が出力されるため、不審者が軒先１３ａからバルコニー１５へ乗り移ったことを居住者に知らせることができる。
【００６３】
以上の結果、住宅１０が同等又はそれより高いマンション２０と近接して構築されており、仮に不審者がマンション２０から住宅１０の屋根部分１３に乗り移ってくることに対する居住者の警戒意識が低くても、二階部分１２の窓部４３ａ〜４３ｃから住宅１０内への不審者侵入に対する抑止力を発揮できる。
【００６４】
また、不審者が軒先１３ａにいる場合には、各窓部４３ａ〜４３ｃのうち不審者の下方にある窓部４３だけが施錠される一方で、不審者が軒先１３ａからバルコニー１５へ乗り移った場合には、各窓部４３ａ〜４３ｃの全てが施錠される。つまり、不審者が二階居室４１へ侵入してしまう可能性の高さに合わせて異なる施錠制御が警戒制御として行われる。これにより、不審者の侵入に対する抑止力を高めつつ、各窓部４３ａ〜４３ｃの施錠装置４６ａ〜４６ｃを過剰に施錠してしまうことを回避できる。
【００６５】
軒先１３ａの屋根仕上材５２に軒先荷重センサ５５が設けられているだけでなくバルコニー１５の床部３１にバルコニー荷重センサ３２が設けられているため、不審者をより確実に検知することができる。これは、軒先１３ａに乗っている不審者は窓部４３ａ〜４３ｃから住宅１０内へ侵入するためにバルコニー１５に乗り移る必要があるためである。しかも、軒先１３ａやバルコニー１５の床部３１に加えられた荷重が検知されるため、不審者がどんな目立たないように且つ静かに軒先１３ａやバルコニー１５に乗ったとしても不審者を確実に検知できる。
【００６６】
人が軒先１３ａ及びバルコニー１５の両方にて検知された場合に、不審者の存在を知らせるべく報知装置６５から報知音声が出力されるため、仮に軒先荷重センサ５５及びバルコニー荷重センサ３２の一方により動物等を人とする誤検知が行われてしまったとしても、報知音声は出力されない。したがって、不審者報知の正確性を高めることができる。また、仮にバルコニー荷重センサ３２に故障等の不具合が生じても、軒先荷重センサ５５により軒先１３ａにおける人の存在が検知されると、施錠装置４６ａ〜４６ｃが少なくとも１つ施錠動作するため、不審者の侵入に対する抑止力を発揮できるとともに、居住者は軒先１３ａにおける不審者の存在を察知することができる。
【００６７】
（第２の実施形態）
本実施形態では、上記第１の実施形態と異なり、警備システムの適用されている住宅１０が一戸建て住宅ではなくアパート等の集合住宅となっている。集合住宅としての住宅１０について、図６を参照しつつ説明する。図６は住宅１０の検知領域を示す図であり、（ａ）に二階部分１２を示し、（ｂ）に屋根部分１３を示す。ここでは、上記第１の実施形態と同一の構成については基本的にその説明を省略する。
【００６８】
図６（ａ）に示すように、住宅１０は住戸７０を複数有している。具体的には、住宅１０は、第１住戸７０ａ、第２住戸７０ｂ、第３住戸７０ｃを有しており、各住戸７０ａ〜７０ｃはそれぞれメゾネットタイプの二階建て住戸となっている。各住戸７０ａ〜７０ｃは内壁７１により仕切られており、二階部分１２にはそれぞれ二階居室４１ａ，４１ｂ，４１ｃを有している。各住戸７０ａ〜７０ｃはそれぞれ階段を有しており、居住者は各住戸７０ａ〜７０ｃのそれぞれにおいて階段を昇降することにより一階部分（図示略）と二階部分１２とを行き来することができる。
【００６９】
二階部分１２においてバルコニー１５はバルコニー部７３を複数有している。具体的には、バルコニー１５は、各住戸７０ａ〜７０ｃのそれぞれに対応して第１バルコニー部７３ａ、第２バルコニー部７３ｂ、第３バルコニー部７３ｃを有している。バルコニー１５には内壁７１の延長線上に隔壁７２が設けられており、各バルコニー部７３ａ〜７３ｃは隔壁７２により仕切られている。隔壁７２は、バルコニー１５において人が各バルコニー部７３ａ〜７３ｃを行き来することを規制している。
【００７０】
各住戸７０ａ〜７０ｃにおいては、窓部４３ａ〜４３ｃにより二階居室４１ａ〜４１ｃとバルコニー部７３ａ〜７３ｃとがそれぞれ連通されており、人は窓部４３ａ〜４３ｃを通じて二階居室４１ａ，４１ｂとバルコニー部７３ａ〜７３ｃとを行き来することができる。
【００７１】
上記第１の実施形態と同様に、バルコニー１５にはバルコニー荷重センサ３２（図７参照）によりバルコニーエリアＡが設定されている。また、図６（ｂ）に示すように、屋根部分１３には軒先荷重センサ５５（図７参照）により軒先エリアＢ１〜Ｂ３が設定されている。この場合、第１軒先エリアＢ１は第１住戸７０ａの上方に配置され、第２軒先エリアＢ２は第２住戸７０ｂの上方に配置され、第３軒先エリアＢ３は第３住戸７０ｃの上方に配置されている。つまり、軒先エリアＢ１〜Ｂ３は住戸７０ａ〜７０ｃごとに配置されている。
【００７２】
次に、住宅１０の警備システムに関する電気的な構成について、図７を参照しつつ説明する。
【００７３】
図７に示すように、警備システムは制御手段としての管理サーバ８１を含んで構成されている。管理サーバ８１は記憶部８２とタイマ８３とを有しており、管理サーバ８１、記憶部８２及びタイマ８３は、上記第１実施形態のホームサーバ６１、記憶部６２及びタイマ６３のそれぞれと同様の構成となっている。管理サーバ８１には、バルコニー荷重センサ３２と軒先荷重センサ５５とが接続されており、それらセンサ３２，３５は検出信号を管理サーバ８１に対して出力する。また、管理サーバ８１には、第１ホームサーバ６１ａ、第２ホームサーバ６１ｂ、第３ホームサーバ６１ｃが接続されており、管理サーバ８１は指令信号を出力することで各ホームサーバ６１ａ〜６１ｃを個別に制御する。
【００７４】
第１ホームサーバ６１ａには第１施錠装置４６ａと第１報知装置６５ａとが接続されており、第１ホームサーバ６１ａ及び第１報知装置６５ａは例えば第１住戸７０ａの二階居室４１ａに設置されている。第１ホームサーバ６１ａ及び第１報知装置６５ａは、上記第１実施形態のホームサーバ６１及び報知装置６５とそれぞれ同様の構成となっており、第１ホームサーバ６１ａは指令信号を出力することで第１施錠装置４６ａや第１報知装置６５ａの動作制御を行う。
【００７５】
第１ホームサーバ６１ａと同様に、第２ホームサーバ６１ｂには第２施錠装置４６ｂと第２報知装置６５ｂが接続されているとともに、第３ホームサーバ６１ｃには第３施錠装置４６ｃと第３報知装置６５ｃが接続されており、第２ホームサーバ６１ｂは指令信号を出力することで第２施錠装置４６ｂや第２報知装置６５ｂの動作制御を行い、第３ホームサーバ６１ｃは指令信号を出力することで第３施錠装置４６ｃや第３報知装置６５ｃの動作制御を行う。
【００７６】
続いて、管理サーバ８１によって実行される警備システムの制御処理について簡単に説明する。
【００７７】
管理サーバ８１は、上記第１の実施形態のホームサーバ６１と同様に軒先処理（図５のステップＳ１０２〜Ｓ１１０に相当する処理）を実行する。その処理において、軒先１３ａにて人の存在を検知した場合、その居場所の下方にある住戸７０ａ〜７０ｃの警戒レベルをＬＶ１に設定するとともに、その住戸７０ａ〜７０ｃのホームサーバ６１ａ〜６１ｃを制御する。例えば、第１軒先エリアＢ１にて人が検知された場合、第１住戸７０ａの警戒レベルをＬＶ１に設定し、第１ホームサーバ６１ａにより第１施錠装置４６ａを施錠状態に移行させる。同様に、第２軒先エリアＢ２にて人が検知された場合、第２住戸７０ｂの警戒レベルをＬＶ１に設定し、第２ホームサーバ６１ｂにより第２施錠装置４６ｂを施錠状態に移行させる。第３軒先エリアＢ３にて人が検知された場合、第３住戸７０ｃの警戒レベルをＬＶ１に設定し、第３ホームサーバ６１ｃにより第３施錠装置４６ｃを施錠状態に移行させる。
【００７８】
また、軒先処理に加えてバルコニー処理（図５のステップＳ１１１〜Ｓ１１６に相当する処理）を実行する。その処理において、軒先１３ａにて人の存在を検知した後にバルコニー１５にて人の存在を検知した場合、各住戸７０ａ〜７０ｃの警戒レベルをＬＶ２にそれぞれ設定するとともに、各ホームサーバ６１ａ〜６１ｃをそれぞれ制御する。具体的には、各ホームサーバ６１ａ〜６１ｃにより、各施錠装置４６ａ〜４６ｃをそれぞれ施錠状態に移行させるとともに各報知装置６５ａ〜６５ｃから報知音声をそれぞれ出力させる。
【００７９】
上記のように警備システムの制御処理が実行されることにより、以下の効果が得られる。
【００８０】
不審者が軒先１３ａに乗っている場合、その居場所が第１軒先エリアＢ１であれば第１住戸７０ａの第１窓部４３ａが施錠されるため、第１住戸７０ａへの不審者の侵入を回避できる。また、不審者が軒先１３ａからバルコニー１５の第１バルコニー部７３ａに乗り移った場合、各住戸７０ａ〜７０ｃの窓部４３ａ〜４３ｃがそれぞれ施錠されるため、仮に不審者が隔壁７２を乗り越えてバルコニー１５内を第１バルコニー部７３ａから第２バルコニー部７３ｂや第３バルコニー部７３ｃへ移動したとしても、各住戸７０ａ〜７０ｃのそれぞれについて不審者の侵入を回避できる。また、不審者がバルコニー１５にいる場合、各報知装置６５ａ〜６５ｃによりその旨が報知されるため、各住戸７０ａ〜７０ｃの各居住者は不審者の存在を知ることができる。
【００８１】
以上のように、住宅１０が複数の住戸７０ａ〜７０ｃを有している場合、不審者の居場所が軒先１３ａであれば住戸７０ａ〜７０ｃごとに個別に警戒制御が行われ、居場所がバルコニー１５であれば全ての住戸７０ａ〜７０ｃを対象として警戒制御が行われる。つまり、不審者侵入の可能性が低い場合は、その中でも侵入の可能性が比較的高い住戸７０ａ〜７０ｃを対象として警戒制御が行われ、不審者侵入の可能性が高い場合は、全ての住戸７０ａ〜７０ｃを対象として警戒制御が行われる。したがって、不審者に対する警戒制御が過剰に行われてしまうことを抑制しつつ、不審者侵入を回避できる。
【００８２】
なお、不審者が軒先１３ａにいる場合に、管理サーバ８１及び各ホームサーバ６１ａ〜６１ｃにより施錠装置４６ａ〜４６ｃだけでなく報知装置６５ａ〜６５ｃの報知制御が行われてもよい。この場合、居住者は軒先１３ａにおける住戸７０ａ〜７０ｃの上方位置に不審者がいることをいち早く知ることができる。
【００８３】
（他の実施形態）
本発明は上記各実施形態の記載内容に限定されず、例えば次のように実施してもよい。
【００８４】
（１）屋根部分１３において、軒先エリアＢは複数に分割して設定されているが、軒先エリアＢは分割されずに１つの検知領域として設定されていてもよい。この場合でも、住宅１０の周辺領域においては、軒先エリアＢ及びバルコニーエリアＡといった複数の検知領域が設定されているため、人を検知したエリアに合わせて個別に警戒レベルを設定することが可能となる。
【００８５】
（２）屋根部分１３において、軒先エリアＢ１〜Ｂ３等の検知領域が部分的に設定されているのではなく、屋根部分１３の全体に設定されていてもよい。例えば、図８に示すように屋根部分１３において、軒先エリアＢ１〜Ｂ３に加えて、軒先エリアＢ４、棟エリアＢ５，Ｂ６が設定されている構成とする。この構成では、軒先エリアＢ４は、バルコニー１５とは反対側の軒先１３ａに配置され、棟エリアＢ５はバルコニー１５側における軒先エリアＢ１〜Ｂ３より棟部１３ｂ側に配置され、棟エリアＢ６はバルコニー１５とは反対側における軒先エリアＢ４より棟部１３ｂ側に配置されている。ここでは、軒先１３ａに加えて棟部１３ｂの屋根仕上材５２等に荷重センサが設けられており、例えば、ホームサーバ６１は、棟エリアＢ５，Ｂ６のいずれかにて人が検知された場合に警戒レベルをＬＶ１に設定し、軒先エリアＢ１〜Ｂ４のいずれかにて人が検知された場合に警戒レベルをＬＶ２に設定する。
【００８６】
また、バルコニー１５とは反対側の軒先エリアＢ４にて人が検知された場合、一階部分１１における玄関等の開口部を施錠することが好ましい。これにより、不審者がバルコニー１５とは反対側の軒先１３ａから地面に飛び降りて一階部分１１から住宅１０内へ侵入してしまうことを回避できる。さらに、庭等に侵入した不審者が屋根部分１３の軒先１３ａにロープ等を引っ掛けてそのロープ等を手繰るように外壁４２に沿って登ろうとしても、不審者が軒先１３ａに乗った場合と同様に軒先荷重センサ５５により不審者を検知できる。
【００８７】
（３）軒先エリアＢ１〜Ｂ３は、軒先１３ａにおける窓部４３ａ〜４３ｃの上方に加えて又は代えて窓部４３ａ〜４３ｃが形成されていない部分の上方に設定されていてもよい。また、窓部４３ａ〜４３ｃの上方には必ずしも軒先エリアＢ１〜Ｂ３が設定されていなくてもよい。
【００８８】
（４）開口部としての窓部４３ａ〜４３ｃは外壁に加えて又は代えて屋根部分１３に設けられていてもよい。例えば、採光用の開口部として形成されている構成や、建物内空間から屋根部分１３へ出入りするための出入口として形成されている構成が挙げられる。この場合、ホームサーバ６１は、軒先エリアＢ１〜Ｂ３のうち他のエリアより開口部に近いエリアにて人が検知された際に警戒レベルをＬＶ２に設定し、その遠いエリアにて人が検知された際に警戒レベルをＬＶ１に設定することが好ましい。これにより、不審者が開口部から住宅１０内へ侵入する可能性が高い場合にその侵入に対する抑止力を高めることができる。
【００８９】
（５）屋根部分１３において検知領域としての軒先エリアＢ１〜Ｂ３が複数設定されていれば、バルコニー１５にはバルコニーエリアＡが設定されていなくてもよい。この場合でも、軒先エリアＢ１〜Ｂ３のそれぞれに対して異なる警戒レベルが設定される構成であれば、窓部４３ａ〜４３ｃのうち不審者の居場所が近い窓部に対する警戒レベルを高く設定することができる。また、バルコニーエリアＡに代えて又は加えて、窓部４３ａ〜４３ｃ等の開口部近傍に人がいることを検知する開口部エリアが設定されていてもよい。この場合、バルコニー１５に面していない開口部についても不審者が近づいたことを検知できる。なお、窓部４３ａ〜４３ｃはバルコニー１５に面して設けられていなくてもよく、窓台を有する出窓として形成されていてもよい。窓部４３ａ〜４３ｃが窓台を有している構成においては、荷重センサが窓台に設けられていることが好ましい。
【００９０】
（６）軒先１３ａに人がいることを検知する屋根側検知手段としては、軒先荷重センサ５５に代えて又は加えて赤外線センサ等の人感センサが設けられていてもよい。同様に、バルコニー１５に人がいることを検知する張出側検知手段としては、バルコニー荷重センサ３２に代えて又は加えて赤外線センサ等の人感センサが設けられていてもよい。
【００９１】
（７）バルコニー１５について、人が窓部４３を通過したことを検知する通過センサが設けられていてもよい。例えば、通過センサがホームサーバ６１と電気的に接続されており、ホームサーバ６１は、人が窓部４３を通過した後にバルコニー１５にて人が検知されれば、その人は居住者であるとして警戒制御を実行せず、人が窓部４３を通過していないにもかかわらずバルコニー１５にて人が検知されれば、その人は不審者であるとして警戒制御を実行する構成とする。この場合、仮に軒先荷重センサ５５に故障等の不具合が生じても、バルコニー荷重センサ３２及び通過センサにより不審者を検知することが可能となり、軒先荷重センサ５５が正常に動作する場合と同様に不審者の侵入に対する抑止力を発揮できる。
【００９２】
（８）窓部４３ａ〜４３ｃにシャッタ装置が設けられていてもよい。この構成では、シャッタ装置がホームサーバ６１と電気的に接続されており、軒先１３ａやバルコニー１５にて不審者が検知された場合に、ホームサーバ６１が警戒制御としてシャッタ装置の閉鎖制御を行うことが好ましい。これにより、不審者が窓部４３ａ〜４３ｃから侵入することに対する抑止力をより一層高めることができる。
【００９３】
また、本警備システムには、警察や警備会社等の外部施設に通報可能な携帯電話等の通信装置が含まれていてもよい。例えば、通信装置がホームサーバ６１と電気的に接続されており、ホームサーバ６１は、軒先１３ａにて不審者が検知された場合に報知装置６５を動作させて居住者にその旨を報知し、バルコニー１５にて不審者が検知された場合に通信装置を動作させて外部施設に通報する構成とする。この構成によれば、不審者が軒先１３ａにて検知された場合に通報が行われる構成とは異なり、不審者が住宅１０内へ侵入する可能性が極めて高い場合に限って外部施設への通報が行われる。このため、不審者侵入の可能性が低いにもかかわらず外部施設への通報が過剰に行われてしまうことを回避できる。
【００９４】
さらに、報知装置６５は外壁４２の屋外側面に取り付けられていてもよい。この場合、報知装置６５の報知動作が行われることにより、軒先１３ａやバルコニー１５にいる不審者を威嚇することができるとともに、近隣の住民等に不審者の存在を知らせることができる。さらに、報知装置６５が光を発する発光部を有していることが好ましい。この場合、特に夜間において報知装置６５の発光が際立つため、不審者を威嚇したり不審者の存在を報知したりするのに効果的である。
【００９５】
（９）バルコニー１５は各窓部４３ａ〜４３ｃごとに個別に設けられていてもよい。例えば、上記第２の実施形態において、各住戸７０ａ〜７０ｃの各バルコニー部７３ａ〜７３ｃが一体的に設けられているのではなく、バルコニー部７３ａ〜７３ｃを有するバルコニーが住戸７０ａ〜７０ｃごとに独立して設けられている構成とする。この場合でも、不審者がバルコニー部７３ａ〜７３ｃの間を乗り移る可能性があるため、いずれかのバルコニー部７３ａ〜７３ｃにおいて不審者が検知された場合に各住戸７０ａ〜７０ｃの警戒制御がそれぞれ行われることは、不審者侵入を回避する上で効果的である。
【００９６】
（１０）本警備システムが適用される住宅１０の屋根部分１３は切妻屋根でなく寄棟屋根や片流れ屋根、陸屋根により構成されていてもよい。いずれの場合でも、屋根部分１３にて人が検知される構成であればよい。
【図面の簡単な説明】
【００９７】
【図１】第１の実施形態における住宅とそれに隣接したマンションとを示す斜視図。
【図２】屋根部分における軒先周辺の概略断面を示す図。
【図３】住宅の検知領域を示す図。
【図４】警備システムに関する電気的な構成を示すブロック図。
【図５】警備システムの制御処理を示すフローチャート。
【図６】第２の実施形態における住宅の検知領域を示す図。
【図７】警備システムに関する電気的な構成を示すブロック図。
【図８】住宅の検知領域の別例を示す図。
【符号の説明】
【００９８】
１０…建物としての住宅、１３…屋根としての屋根部分、１３ａ…軒先部としての軒先、１３ｂ…棟部、２０…他の建物としてのマンション、３２…張出側検知手段としてのバルコニー荷重センサ、４２…外壁、４３…窓部、４５…開閉体としてのサッシ戸、４６…施錠装置、５５…屋根側検知手段及び荷重検知手段としての軒先荷重センサ、６１…レベル設定手段及び制御手段としてのホームサーバ、８１…制御手段としての管理サーバ、Ａ…検知領域としてのバルコニーエリア、Ｂ…検知領域としての軒先エリア。
【図１】
2010140234.tif 000003
【図２】
2010140234.tif 000004
【図３】
2010140234.tif 000005
【図４】
2010140234.tif 000006
【図５】
2010140234.tif 000007
【図６】
2010140234.tif 000008
【図７】
2010140234.tif 000009
【図８】
2010140234.tif 000010